【手続補正書】
【提出日】平成18年5月29日(2006.5.29)
【手続補正１】
【補正対象書類名】明細書
【補正対象項目名】特許請求の範囲
【補正方法】変更
【補正の内容】
【特許請求の範囲】
【請求項１】  少なくとも遊技者を特定可能な遊技者特定情報と該遊技者に関する遊技者関連情報とが対応付けて登録された遊技者データベースを有する管理装置と、
遊技場内に設置された遊技台に対応して設けられ、前記遊技者特定情報が記録された記録媒体を受付けて該記録情報の読み出しを行う読み出し手段と、該読み出し手段により読み出された前記遊技者特定情報を前記管理装置に送信する送信手段とを備える遊技用装置と、
から成る遊技用システムにおいて、
前記管理装置は、
複数種類の各催事について、催事対象者となる条件を設定するための催事対象条件設定手段と、
該催事対象条件設定手段にて設定された催事対象条件を記憶する催事対象条件記憶手段と、
受信した前記遊技者特定情報に基づいて、該遊技者が催事対象条件を満たしているか否かを判定するための判定手段と、
該判定手段にて催事対象条件を満たしていると判定した場合に、催事対象遊技者である旨を前記遊技用装置に返信する返信手段と、
を備え、
前記遊技用装置は、
該返信に基づいて催事対象者である旨の報知を行う報知手段と、
前記催事対象者への利益付与の完了を入力するための入力手段と、
前記報知手段により催事対象者である旨の報知が行われている状態で、前記入力手段により前記利益付与の完了が入力されたときに、該利益付与が完了した催事以外の催事対象者であるか否かを判定する催事判定手段と、を備え、
前記催事判定手段により利益付与が完了した催事以外の催事対象者であると判定された場合には、前記報知手段により催事対象者である旨の報知を行い、
前記催事判定手段により利益付与が完了した催事以外の催事対象者でないと判定された場合には、前記報知手段による催事対象者である旨の報知を終了する、
ことを特徴とする遊技用システム。
【請求項２】  前記報知手段は、催事対象遊技者である旨の報知開始から所定時間の経過後において、報知態様を変化させる請求項１に記載の遊技用システム。
【請求項３】  催事対象者である旨の報知を開始する時期を設定する報知開始時期設定手段を備える請求項１または２に記載の遊技用システム。
【請求項４】  前記催事対象条件設定手段は、各催事の優先度を設定可能とされ、前記報知手段は、前記優先度の最も高い催事の報知を行うとともに、前記催事判定手段により利益付与が完了した催事以外の催事対象者であると判定された場合に、該利益付与が完了した催事の優先度に次いで優先度の高い催事の報知を開始する請求項１〜３のいずれかに記載の遊技用システム。
【請求項５】  前記遊技用装置は、各遊技用装置に固有に予め付与された装置識別情報を前記遊技者特定情報とともに管理装置に送信し、前記管理装置は、前記判定手段にて催事対象条件を満たしていると判定した場合に、前記遊技者特定情報とともに送信されてきた前記装置識別情報から、該装置識別情報を送信した遊技用装置が対応する遊技台を特定し、該特定した遊技台を特定可能な情報を表示するための表示手段を備える請求項１〜４のいずれかに記載の遊技用システム。
【請求項６】  前記送信手段は、催事対象者である旨の報知が終了した旨を前記管理装置に送信し、前記管理装置は、該報知が終了した旨の受信に基づいて、報知が終了した旨を送信した遊技用装置が対応する遊技台の前記表示手段における表示態様を変更する表示態様変更手段を有する請求項５に記載の遊技用システム。
【手続補正２】
【補正対象書類名】明細書
【補正対象項目名】０００７
【補正方法】変更
【補正の内容】
【０００７】
【課題を解決するための手段】
前記した問題を解決するために、本発明の遊技用システムは、
少なくとも遊技者を特定可能な遊技者特定情報と該遊技者に関する遊技者関連情報とが対応付けて登録された遊技者データベースを有する管理装置と、
遊技場内に設置された遊技台に対応して設けられ、前記遊技者特定情報が記録された記録媒体を受付けて該記録情報の読み出しを行う読み出し手段と、該読み出し手段により読み出された前記遊技者特定情報を前記管理装置に送信する送信手段とを備える遊技用装置と、
から成る遊技用システムにおいて、
前記管理装置は、
複数種類の各催事について、催事対象者となる条件を設定するための催事対象条件設定手段と、
該催事対象条件設定手段にて設定された催事対象条件を記憶する催事対象条件記憶手段と、
受信した前記遊技者特定情報に基づいて、該遊技者が催事対象条件を満たしているか否かを判定するための判定手段と、
該判定手段にて催事対象条件を満たしていると判定した場合に、催事対象遊技者である旨を前記遊技用装置に返信する返信手段と、
を備え、
前記遊技用装置は、
該返信に基づいて催事対象者である旨の報知を行う報知手段と、
前記催事対象者への利益付与の完了を入力するための入力手段と、
前記報知手段により催事対象者である旨の報知が行われている状態で、前記入力手段により前記利益付与の完了が入力されたときに、該利益付与が完了した催事以外の催事対象者であるか否かを判定する催事判定手段と、を備え、
前記催事判定手段により利益付与が完了した催事以外の催事対象者であると判定された場合には、前記報知手段により催事対象者である旨の報知を行い、
前記催事判定手段により利益付与が完了した催事以外の催事対象者でないと判定された場合には、前記報知手段による催事対象者である旨の報知を終了する、
ことを特徴としている。
この特徴によれば、店員並びに遊技者が、利益付与の完了／ 非完了を的確に識別でき、これら利益付与の完了／ 非完了に伴うトラブルの発生を大幅に回避することができ、さらに遊技者が複数の催事の対象者になっていても、順次全ての催事について対象者報知が実施されるようになり、遊技者は対象となっているすべての催事の利益を確実に享受できる。
【手続補正３】
【補正対象書類名】明細書
【補正対象項目名】００１０
【補正方法】変更
【補正の内容】
【００１０】
本発明の遊技用システムの前記催事対象条件設定手段は、各催事の優先度を設定可能とされ、前記報知手段は、前記優先度の最も高い催事の報知を行うとともに、前記催事判定手段により利益付与が完了した催事以外の催事対象者であると判定された場合に、該利益付与が完了した催事の優先度に次いで優先度の高い催事の報知を開始することが好ましい。
このようにすれば、遊技者が複数の催事対象者になっていても、優先度に応じて最適な報知が実施されるようになり、遊技者は全ての催事の利益付与を確実に享受できる。
【手続補正４】
【補正対象書類名】明細書
【補正対象項目名】００９１
【補正方法】変更
【補正の内容】
【００９１】
前記実施例における各要素は、本発明に対して以下のように対応している。
本発明の請求項１は、
少なくとも遊技者を特定可能な遊技者特定情報（会員ＩＤ）と該遊技者に関する遊技者関連情報（住所、年齢、性別など）とが対応付けて登録された遊技者データベースを有する管理装置（会員管理コンピュータ１２０）と、
遊技場内に設置された遊技台（パチンコ機２）に対応して設けられ、前記遊技者特定情報（会員ＩＤ）が記録された記録媒体（会員カード）を受付けて該記録情報（会員ＩＤ）の読み出しを行う読み出し手段（カードリーダライタ３２７）と、該読み出し手段（カードリーダライタ３２７）により読み出された前記遊技者特定情報（会員ＩＤ）を前記管理装置（会員管理コンピュータ１２０）に送信する送信手段（制御ユニット３２８）とを備える遊技用装置（カードユニット３）と、
から成る遊技用システムにおいて、
前記管理装置（会員管理コンピュータ１２０）は、
複数種類の各催事について、催事対象者となる条件を設定するための催事対象条件設定手段（イベント設定画面）と、
該催事対象条件設定手段にて設定された催事対象条件を記憶する催事対象条件記憶手段（記憶装置１２５）と、
受信した前記遊技者特定情報（会員ＩＤ）に基づいて、該遊技者が催事対象条件を満たしているか否かを判定するための判定手段（ＣＰＵ１２２）と、
該判定手段にて催事対象条件を満たしていると判定した場合に、催事対象遊技者である旨を前記遊技用装置（カードユニット３）に返信する返信手段（第２通信部１３０）と、
を備え、
前記遊技用装置（カードユニット３）は、
該返信に基づいて催事対象者である旨の報知を行う報知手段（多機能ＬＥＤ３０１ａ）と、
前記催事対象者への利益付与の完了を入力するための入力手段（赤外線受光ユニット３１０）と、
前記報知手段（多機能ＬＥＤ３０１ａ）により催事対象者である旨の報知が行われている状態で、前記入力手段（赤外線受光ユニット３１０）により前記利益付与の完了が入力されたときに、該利益付与が完了した催事以外の催事対象者であるか否かを判定する催事判定手段（制御ユニット３２８）と、を備え、
前記催事判定手段（制御ユニット３２８）により利益付与が完了した催事以外の催事対象者であると判定された場合には、前記報知手段（多機能ＬＥＤ３０１ａ）により催事対象者である旨の報知を行い、
前記催事判定手段（制御ユニット３２８）により利益付与が完了した催事以外の催事対象者でないと判定された場合には、前記報知手段（多機能ＬＥＤ３０１ａ）による催事対象者である旨の報知を終了する、
ことを特徴としている。
【手続補正５】
【補正対象書類名】明細書
【補正対象項目名】００９４
【補正方法】変更
【補正の内容】
【００９４】
本発明の請求項４は、前記催事対象条件設定手段（イベント設定画面）は、各催事の優先度を設定可能とされ、前記報知手段（多機能ＬＥＤ３０１ａ）は、前記優先度の最も高い催事の報知を行うとともに、前記催事判定手段（制御ユニット３２８）により利益付与が完了した催事以外の催事対象者であると判定された場合に、該利益付与が完了した催事の優先度に次いで優先度の高い催事の報知を開始する。
【手続補正６】
【補正対象書類名】明細書
【補正対象項目名】０１１５
【補正方法】変更
【補正の内容】
【０１１５】
【発明の効果】
本発明は次の効果を奏する。
（ａ）請求項１の発明によれば、店員並びに遊技者が、利益付与の完了／ 非完了を的確に識別でき、これら利益付与の完了／ 非完了に伴うトラブルの発生を大幅に回避することができ、さらに遊技者が複数の催事の対象者になっていても、順次全ての催事について対象者報知が実施されるようになり、遊技者は対象となっているすべての催事の利益を確実に享受できる。